(57)【要約】      （修正有）【課題】皮膚画像の撮影に用い、電子機器に接続して画像の表示や記録を行う画像読取装置を提供する。【解決手段】画像読取装置は、電子機器に接続する可動式携帯用の皮膚画像読取装置であり、画像読取素子、一つ以上の発光素子、中央処理ユニット、及び接続ユニットを含む。画像読取素子により撮影された画像は中央処理ユニットによって処理された後、接続ユニットに接続した信号線を介して、ＰＤＡ、携帯電話、スマートフォン、タブレットパソコン等の電子機器とに接続され、電子機器を通して皮膚の画像が表示及び記録される。画像読取素子はＣＣＤ或いはＣＭＯＳとする。【選択図】図１
0003180010.tif 000002
【実用新案登録請求の範囲】
【請求項１】
電子回路上に設置する画像読取装置は、画像撮影に用いる画像読取素子と、
画像読取素子によって撮影された画像の信号処理を行う中央処理ユニットと、画像読取素子によって撮影された画像の伝送を行う接続ユニットと、を含むことを特徴とする画像読取装置。
【請求項２】
前記画像読取素子は、電荷結合素子（Charge Coupled
Device、CCD）或いは相補型金属酸化膜半導体（Complementary
Metal Oxide Semiconductor、CMOS)センサのどちらかであることを特徴とする請求項１に記載の画像読取装置。
【請求項３】
前記電子回路板上にはさらに発光素子を設置し、該発光素子はＬＥＤ構造であることを特徴とする請求項１に記載の画像読取装置。
【請求項４】
前記接続ユニットには、ユーエスビー（Universal Serial Bus：USB）、ＩＥＥＥ１３９４、有線LANインターネットの何れか一つを含むことを特徴とする請求項１に記載の画像読取装置。
【請求項５】
前記接続ユニットは、赤外線モジュール或いはブルートゥースモジュールのどちらかを含む無線伝送モジュールであることを特徴とする請求項１に記載の画像読取装置。
【請求項６】
前記電子回路板の外部は、第一外殻体及び第二外殻体で覆うことを特徴とする請求項３に記載の画像読取装置。
【請求項７】
前記第一外殻体に設置する導光カバーは、ほぼ環状形をなし、導光カバー内部エリアには複数の貫通孔を設け、貫通孔は画像読取素子及び発光素子を嵌設するのに用いることを特徴とする請求項６に記載の画像読取装置。
【請求項８】
前記接続ユニットは電子機器との電気的接続に用いることを特徴とする請求項１に記載の画像読取装置。
【請求項９】
前記電子機器には、ＰＤＡ、携帯電話、スマートフォン、或いはタブレットパソコンを含むことを特徴とする請求項８に記載の画像読取装置。
【考案の詳細な説明】
【技術分野】
【０００１】
本考案は、特に、皮膚画像の撮影に用い、尚且つＰＤＡ、携帯電話、スマートフォン、タブレットパソコン等の電子機器に接続し、画像の表示や記録を行う画像読取装置に関する。
【背景技術】
【０００２】
過去には自分の皮膚の状況を気にする人は少なかったが、美容医学の流行に伴い、近年、自分の皮膚のタイプを理解し皮膚の良好な状態を維持するために、或いは、自分の皮膚に合う基礎化粧品やメーキャップ用化粧品を選ぶために、特に専門の皮膚科医師のもとで皮膚に対する検査を行う人が多くなった。その種の医療用検査機器は、製造価格が非常に高く、尚且つ体積も大きいため、元来、一般人には購入できないものであり、よって、使用者は皮膚の状態を随時随所で自ら検査したり記録することは不可能である。しかし、実際には、気候、湿度、及び環境の変化に応じて、皮膚を随時随所に自ら検査及び記録する必要性が現れている。
【０００３】
市場を全体的にみると、使用者が随時随所に皮膚の状態の検査や記録を自ら行える機器の購買や使用は未だ見られない故、考案者は、特別に研究を重ねて本考案を生み出した。本考案の提案によって、理想的で、便利な手軽な装置を提供し、皮膚の状態を随時随所に検査及び記録するニーズに応える。
【考案の概要】
【考案が解決しようとする課題】
【０００４】
本考案の主な目的は、小型の可動式携帯用画像読取装置の提供にある。それは、低コストという優位性を有し、消費者の期待に添うものである。ＰＤＡ、携帯電話、スマートフォン、タブレットパソコン等の電子機器を少なくとも一人一機を所有する現代人の特性に鑑み、本考案の皮膚画像読取装置は、それらの電子機器と接続し、従来の電子機器を通して皮膚画像を表示或いは記録する。これによって、購入コストを効果的に低下させ、ハード設備の買い直しを避け、費用を節約し、随時随所の使用、手軽さ、便利な携帯、低コスト等の長所を有し、目的を達成する。
【課題を解決するための手段】
【０００５】
前記目的を実現するために、本考案の画像読取装置は、具体的に、画像読取素子、一つ或いは一つ以上の発光素子、中央処理ユニット、及び接続ユニットを含む。
【０００６】
好ましくは、前記画像読取素子は、皮膚画像の撮影に用い、電荷結合素子（Charge Coupled Device、CCD）或いは
相補型金属酸化膜半導体（Complementary Metal Oxide Semiconductor、CMOS)センサとする。
【０００７】
好ましくは、前記発光素子は、光源を提供するＬＥＤ構造とし、画像読取素子による皮膚画像の撮影を助ける。尚、発光素子の数量は一つ或いは一つ以上とする。
【０００８】
好ましくは、前記中央処理ユニットは、画像読取素子によって撮影された画像の信号処理を行う。
【０００９】
好ましくは、前記接続ユニットは、画像読取素子によって撮影された画像の出力を行う。
【００１０】
好ましくは、前記画像読取素子、発光素子、中央処理ユニット、及び接続ユニットは、電子回路板上に設置する。
【００１１】
好ましくは、前記電子回路板の外部は、第一外殻体及び第二外殻体で覆う。
【００１２】
好ましくは、前記第一外殻体の適当箇所に設置する導光カバーは、ほぼ環状形をなす。
【００１３】
好ましくは、第一外殻体の適当箇所には複数の貫通孔を設け、それらの貫通孔には画像読取素子及び発光素子を嵌設する。
【００１４】
好ましくは、第一外殻体の貫通孔を導光カバーの内部エリアに設置する。
【００１５】
好ましくは、接続ユニットには、ユーエスビー（Universal Serial Bus：USB）、ＩＥＥＥ１３９４、或いは有線LANインターネットを含む。
【００１６】
好ましくは、接続ユニットは、赤外線モジュール或いはブルートゥースモジュールを含む無線伝送モジュールとする。
【００１７】
本考案は、皮膚の映像読取に使用を限定せず、各種物品、景観等の画像の読取に適用する。
【考案の効果】
【００１８】
本考案の画像読取装置は、低コストという優位性を有し、消費者の期待に添うものである。ＰＤＡ、携帯電話、スマートフォン、タブレットパソコン等の電子機器に接続し、従来の電子機器を通して皮膚画像を表示或いは記録する。これによって、購入コストを効果的に低下させ、ハード設備の買い直しを避け、費用を節約し、随時随所の使用、手軽さ、便利な携帯、低コスト等効果を発揮する。
【図面の簡単な説明】
【００１９】
【図１】本考案の立体分解図である。
【図２】本考案の立体外観図である。
【図３】本考案を電子機器に接続することを示す図である。
【図４】本考案の使用状態を示す図である。
【考案を実施するための形態】
【００２０】
図１及び図２に示すとおり、本考案の画像読取装置１は、主に、画像読取素子２、一つ或いは一つ以上の発光素子３、中央処理ユニット４、及び接続ユニット５を含む。
【００２１】
その内、画像読取素子２は、皮膚画像の撮影に用い、電荷結合素子（Charge Coupled Device、CCD）或いは
相補型金属酸化膜半導体（Complementary Metal Oxide Semiconductor、CMOS)センサである。
【００２２】
発光素子３は、光源を提供するのに用い、画像読取素子２による皮膚画像の撮影を助ける。尚、発光素子３の数量は一つ或いは一つ以上である。
【００２３】
中央処理ユニット４は、画像読取素子２によって撮影された画像の信号処理及び出力を行う。
【００２４】
接続ユニット５は、画像読取素子２によって撮影された画像の信号伝送を行い、該接続ユニット５には、ユーエスビー（Universal Serial Bus、USB）、ＩＥＥＥ  １３９４、或いは有線LANインターネットを含む。または、接続ユニット５は、赤外線モジュール或いはブルートゥースモジュールを含む無線伝送モジュールとしてもよい。
【００２５】
前記画像読取素子２、発光素子３、中央処理ユニット４、及び接続ユニット５は、電子回路板１３上に設置し、該電子回路板１３の外部は、第一外殻体１１及び第二外殻体１２で覆う。第一外殻体１１の適当箇所に設置する導光カバー６は、ほぼ環状形をなし、導光カバー６の内部エリアには複数の貫通孔１１１、１１２を設け、貫通孔１１１には画像読取素子２を嵌設し、貫通孔１１２には発光素子３を嵌設する。
【００２６】
本考案の実施時には、一般に使用される信号線７と電子機器８を用いる。信号線７は、第一接続部７１と第二接続部７２を含み、第一接続部７１を接続ユニット５に接続すると同時に、第二接続部７２を電子機器８に接続し、これにより、画像読取装置１は、信号線７を介して電子機器８との電気的接続を行うことができる。導光カバー６で測定を行いたい皮膚箇所を覆い、画像読取装置１で画像を撮影し、最後に、電子機器８によってその画像を表示或いは記録する。
【００２７】
本考案は多くの人が既に所有する電子機器８を用いて画像を表示或いは記録するものであるため、本考案の画像読取装置１のコストを低く抑えられ、販売価格も消費者の期待に添うことができる。
【符号の説明】
【００２８】
１      画像読取装置
１１    第一外殻体
１１１  貫通孔
１１２  貫通孔
１２    第二外殻体
１３    電子回路板
２      画像読取素子
３      発光素子
４      中央処理ユニット
５      接続ユニット
６      導光カバー
７      信号線
７１    第一接続部
７２    第二接続部
８      電子機器
【図１】
0003180010.tif 000003
【図２】
0003180010.tif 000004
【図３】
0003180010.tif 000005
【図４】
0003180010.tif 000006